(57)【要約】      （修正有）【課題】粉粒体などを収容するための重包装紙袋として使用可能な二層構造紙袋に関し、クラフト紙を用いた強度の優れた二層構造紙袋を提供する。【解決手段】一端側の封かん部１１と他端側の充填口１２とを有する二層構造紙袋であって、この二層構造紙袋は、内側紙基材と外側紙基材１３の二層構造になっており、袋の胴部分において、前記外側紙基材の内側面と前記内側紙基材の外側面が、部分的に接着剤により接合していることを特徴とする二層構造紙袋である。【選択図】図１
0003204671.tif 000002
【実用新案登録請求の範囲】
【請求項１】
一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面が、部分的に接着剤により接合していることを特徴とする二層構造紙袋。
【請求項２】
一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面が、袋の幅方向に設けた複数の帯状の接着剤により接合していることを特徴とする二層構造紙袋。
【請求項３】
帯状の接着剤の幅が３ｍｍ〜４０ｍｍである請求項２記載の二層構造紙袋。
【請求項４】
帯状の接着剤と隣接する帯状の接着剤の間隔が、帯状の接着剤の幅より広い請求項２又は３記載の二層構造紙袋。
【請求項５】
一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面に、力伝達手段が設けられていることを特徴とする二層構造紙袋。
【請求項６】
一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面が、袋の幅方向に設けた複数の帯状の力伝達手段により接合していることを特徴とする二層構造紙袋。
【請求項７】
帯状の力伝達手段の幅が３ｍｍ〜４０ｍｍである請求項６記載の二層構造紙袋。
【請求項８】
帯状の力伝達手段と隣接する帯状の力伝達手段の間隔が、帯状の力伝達手段の幅より広い請求項６又は７記載の二層構造紙袋。
【請求項９】
前記内側紙基材および前記外側紙基材は、ともにクラフト紙である請求項１〜８の何れかに記載の二層構造紙袋。
【請求項１０】
前記外側紙基材の、袋の縦方向の引張強さが５ｋＮ／ｍ以上である請求項１〜９の何れかに記載の二層構造紙袋。
【請求項１１】
前記外側紙基材の、袋の横方向の引張破断伸びが５．０％以上である請求項１〜１０の何れかに記載の二層構造紙袋。
【請求項１２】
前記内側紙基材および前記外側紙基材は、ともに坪量が８５ｇ／ｍ２以下である請求項１〜１１の何れかに記載の二層構造紙袋。
【請求項１３】
前記二層構造紙袋の長さが７００ｍｍ以上、１０００ｍｍ以下であり、胴幅が３６０ｍｍ以上、６００ｍｍ以下である請求項１〜１２の何れかに記載の二層構造紙袋。
【請求項１４】
二層構造紙袋が、重包装紙袋であり、紙バンド付片底ばり構造である請求項１〜１３の何れかに記載の二層構造紙袋。
【考案の詳細な説明】
【技術分野】
【０００１】
本考案は、二層構造紙袋に関する。更に詳しくは、粉粒体などを収容するための重包装紙袋として使用可能な二層構造紙袋に関する。
【背景技術】
【０００２】
重包装紙袋は、米や麦など穀物類やジャガイモ、ニンジンといった農産物、或いは肥料、化学薬品、セメント、石膏などの工業用粉類、更には廃棄物など、幅広い用途に用いられている。紙製の包装袋としては、クラフト紙が用いられているが、例えば、３０ｋｇを超えるような内包物を充填する重包装紙袋の場合、クラフト紙を三層以上重ねて使用されている。しかし、三層以上に積層された重包装紙袋は、小さく折り畳んでおくことが困難であり、また使用後は廃棄物となることから、二層に積層された重包装紙袋で、３０ｋｇを超えるような内装物を充填した場合でも耐えうるような重包装紙袋が望まれている。
【先行技術文献】
【特許文献】
【０００３】
【特許文献１】特開２００７−９１３２６号公報
【特許文献２】実用新案登録第３１８９８６５号公報
【考案の概要】
【考案が解決しようとする課題】
【０００４】
特許文献１には、クラフト伸張紙を用いることで、強度の高い二層構造の包装紙袋を提案しているが、引張り破断伸びが１０％以上という特殊なクラフト紙であり、高価なものである。特許文献２には、クラフト紙の間に補強用のシートを備える重包装紙袋を提案しているが、構造が複雑であるから、製造が困難であり、また、高価な重包装紙袋となる。
しかし、クラフト紙を単に二層構造にした重包装紙袋の場合、内容物を充填した状態で落下すると、袋が裂けてしまい、内容物が出てしまう場合がある。本考案等は、クラフト紙を用い、落袋が発生したとしても十分耐えうる二層構造の重包装紙袋を提供すべく、鋭意研究を行い、クラフト紙を補強するために接着剤を用いることにより達成できることを見出したのである。
【課題を解決するための手段】
【０００５】
本考案の紙基材を用いた二層構造紙袋は、次のとおりである。
（１）一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面が、部分的に接着剤により接合していることを特徴とする二層構造紙袋。
【０００６】
（２）一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面が、袋の幅方向に設けた複数の帯状の接着剤により接合していることを特徴とする二層構造紙袋。
（３）帯状の接着剤の幅が３ｍｍ〜４０ｍｍである（２）記載の二層構造紙袋。
（４）帯状の接着剤と隣接する帯状の接着剤の間隔が、帯状の接着剤の幅より広い（２）又は（３）記載の二層構造紙袋。
【０００７】
（５）一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面に、力伝達手段が設けられていることを特徴とする二層構造紙袋。
【０００８】
（６）一端側の封かん部と他端側の充填口とを有する二層構造紙袋であって、
この二層構造紙袋は、内側紙基材と外側紙基材の二層構造になっており、
袋の胴部分において、前記外側紙基材の内側面と前記内側紙基材の外側面が、袋の幅方向に設けた複数の帯状の力伝達手段により接合していることを特徴とする二層構造紙袋。
（７）帯状の力伝達手段の幅が３ｍｍ〜４０ｍｍである（６）記載の二層構造紙袋。
（８）帯状の力伝達手段と隣接する帯状の力伝達手段の間隔が、帯状の力伝達手段の幅より広い（６）又は（７）記載の二層構造紙袋。
【０００９】
（９）前記内側紙基材および前記外側紙基材は、ともにクラフト紙である（１）〜（８）の何れかに記載の二層構造紙袋。
（１０）前記外側紙基材の、袋の縦方向の引張強さが５ｋＮ／ｍ以上である（１）〜（９）の何れかに記載の二層構造紙袋。
（１１）前記外側紙基材の、袋の横方向の引張破断伸びが５．０％以上である（１）〜（１０）の何れかに記載の二層構造紙袋。
（１２）前記内側紙基材および前記外側紙基材は、ともに坪量が８５ｇ／ｍ２以下である（１）〜（１１）の何れかに記載の二層構造紙袋。
【００１０】
（１３）前記二層構造紙袋の長さが７００ｍｍ以上、１０００ｍｍ以下であり、胴幅が３６０ｍｍ以上、６００ｍｍ以下である（１）〜（１２）の何れかに記載の二層構造紙袋。
（１４）二層構造紙袋が、重包装紙袋であり、紙バンド付片底ばり構造である（１）〜（１３）の何れかに記載の二層構造紙袋。
【考案の効果】
【００１１】
本考案の二層構造紙袋は、クラフト紙を用いた二層構造の袋とした場合、３０ｋｇの米を充填し、落袋してしまったとしても裂け難い構造であるため安心して使用することできる。
【図面の簡単な説明】
【００１２】
【図１】本考案による二層構造紙袋を米袋に応用した一実施形態の使用状態における外観を表す立体投影図である。
【図２】図１に示した米袋の外観を充填口側から見た立体投影図である。
【図３】図１に示した米袋の外観を封かん部側から見た立体投影図である。
【図４】図２中のＩＶ−ＩＶ矢視に沿った断面図である。
【図５】図３中のＶ−Ｖ矢視に沿った断面図である。
【図６】米袋を構成する外側紙基材１３の内側面と内側紙基材１４の外側面が、接着剤領域１５ａにより接合した状態を示す模式図である。
【図７】米袋を構成する外側クラフト紙１３の内側面と内側クラフト紙１４の外側面に、力伝達手段１５ｂを設けた状態を示す模式図である。
【図８】本考案の米袋の胴部分、すなわち接着剤を設ける部分を説明図である。
【図９】本考案の実施態様となる、米袋の胴部分の接着剤を設けた領域を説明する模式図である。
【図１０】本考案の他の実施態様となる、米袋の胴部分の接着剤を設けた領域を説明する模式図である。
【図１１】本考案の他の実施態様となる、米袋の胴部分の接着剤を設けた領域を説明する模式図である。
【図１２】本考案の他の実施態様となる、米袋の胴部分の接着剤を設けた領域を説明する模式図である。
【図１３】本考案の他の実施態様となる、米袋の胴部分の接着剤を設けた領域を説明する模式図である。
【図１４】本考案の他の実施態様となる、米袋の胴部分の接着剤を設けた領域を説明する模式図である。
【図１５】本考案の他の実施態様となる、米袋の胴部分の接着剤を設けた領域を説明する模式図である。
【図１６】本考案の他の実施態様となる、米袋の胴部分の接着剤を設けた領域を説明する模式図である。
【図１７】本考案の他の実施態様となる、米袋の胴部分の接着剤を設けた領域を説明する模式図である。
【考案を実施するための形態】
【００１３】
本考案に係る二層構造紙袋を、３０ｋｇ用の米袋（重包装紙袋）に応用した実施形態を代表例として、図１〜図１７を参照しながら詳細に説明する。しかしながら、本考案はこのような実施形態のみに限らず、充填物の種類やその使用形態などに応じて充填口や封かん口などを従来から周知の構成へと任意に変更し得るものである。
【００１４】
本実施形態による米袋の使用状態を模式的に表す図１およびこの米袋の外観をそれぞれ表す図２，図３に示すように、本実施形態における米袋１０は、一端側の封かん部１１と他端側の充填口１２とを有するひだなし片底はり構造を採用している。図２中のＩＶ−ＩＶ矢視断面形状を図４に示し、図３中のＶ−Ｖ矢視断面形状を図５に示す。
米袋１０は、内側紙基材１４と、外側紙基材１３とを具えている。米袋１０の裏面１０Ｒ側には外側紙基材１３の貼合部１３ｇと内側紙基材１４の貼合部１４ｇとが配されているが、これら２つの貼合部１３ｇ，１４ｇは、相互に重なり合わないように米袋１０の幅方向に沿ってずらして形成されている。
【００１５】
本考案の第１の実施態様は、図６に示すように、米袋の胴部分において、外側紙基材１３の内側面と内側紙基材１４の外側面が、接着剤１５ａにより接合されている。
本考案の第２の実施態様は、図６及び図９，１０，１４に示すように、米袋の胴部分において、外側紙基材１３の内側面と内側紙基材１４の外側面が、袋の幅方向に帯状の接着剤１５ａにより接合されている。
本考案の第３の実施態様は、図７に示すように、米袋の胴部分において、外側紙基材１３の内側面と内側紙基材１４の外側面に、力伝達手段１５ｂが設けられている。
本考案の第４の実施態様は、図７及び図９，１０，１４に示すように、米袋の胴部分において、外側紙基材１３の内側面と内側紙基材１４の外側面に、袋の幅方向に帯状の力伝達手段１５ｂが設けられている。
【００１６】
なお、本考案でいう袋の胴部分とは、袋の一端側の封かん部と他端側の充填口との間部分の領域であり、図８に示すと、胴部分１０ａがその領域となる。
以下、接着剤１５ａ、力伝達手段１５ｂを纏めて接着領域１５ということもある。
【００１７】
図９〜図１７は、接着領域１５の配置を模式的に示したものである。なお、米袋１０の封かん部や充填口の近傍は図示していない。接着領域の設け方は特に限定するものではないが、２か所以上に設けることが好ましい。また、表面、裏面ともに設けることが好ましい。接着領域１５は、例えば、図９に示すように幅方向に連続的に設けてもよく、図１０のように幅方向に断続的に設けてもよい。また、図１１や図１２のように縦方向に設けてもよい。更に、図１３〜図１６のような形状に接着領域を設けてもよい。特に、図９、図１０、或いは図１４に示すように、接着領域を幅方向に帯状に設けることが好ましい。帯状の幅は、３ｍｍ〜４０ｍｍ程度であり、好ましくは４〜３０ｍｍ、更に好ましく５〜２０ｍｍである。帯状の接着領域と隣接する帯状の接着領域の間隔が、帯状の接着領域の幅より広いことが、強度的、コスト的にも優れるので好ましい。
【００１８】
接着剤１５ａによる接合は、接着剤を用い圧着すればよい。接着剤については特に限定するものではなく、水溶性の接着剤、エマルジョン型の接着剤、ホットメルト型の接着剤、両面テープなど適宜使用できる。具体的には、ポリビニルアルコール類、澱粉類、カルボキシメチルセルロースなどのセルロース類、ポリ酢酸ビニル類、ラテックス類などが例示できる。なお、接着剤には粘着剤を含むものである。中でもラテックス類は初期の接着性が優れるので好ましい。接着剤１５ａを設ける方法は、特に限定するものではないが、例えばフレキソ方式で塗布することができる。
【００１９】
力伝達手段１５ｂは、外側紙基材と内側紙基材を接続することにより、充填された内容物から伝わる内側紙基材への応力が、外側紙基材へ伝わる機能を有すればよい。力伝達手段は、特に限定するものではないが、例えば、接着剤を用い接合すればよい。接着剤については特に限定するものではなく、水溶性の接着剤、エマルジョン型の接着剤、ホットメルト型の接着剤、両面テープなど適宜使用できる。具体的には、ポリビニルアルコール類、澱粉類、カルボキシメチルセルロースなどのセルロース類、ポリ酢酸ビニル類、ラテックス類などが例示できる。なお、接着剤には粘着剤を含むものであり、特に粘性を有する粘着剤の使用は好ましい。力伝達手段１５ｂを設ける方法は、特に限定するものではないが、接着剤を用いる場合、例えばフレキソ方式で塗布することができる。
【００２０】
内側紙基材と外側紙基材については、包装用袋で使用できる紙基材であれば特に限定しない。上質紙、アート紙、コート紙、クラフト紙など公知の基材が使用できるが、強度的にはクラフト紙が適している。クラフト紙としては、公知のものが使用でき、例えば、晒クラフト紙、未晒クラフト紙、片艶クラフト紙、クラフト伸張紙など適宜使用できる。特に強度の弱いクラフト紙、例えば坪量が８５ｇ／ｍ２以下のクラフト紙にこの接合を用いると改善効果が大きい。例えば坪量が８１ｇ／ｍ２以下のクラフト紙であっても十分強度のある重包装紙袋を提供することができる。７８ｇ／ｍ２以下でも効果を得ることができる。なお、坪量の下限値は特に限定するものではないが、６９ｇ／ｍ２以上の坪量とすることが好ましい。
【００２１】
クラフト紙の原料パルプとしては、例えば針葉樹晒クラフトパルプ（ＮＢＫＰ）、広葉樹晒クラフトパルプ（ＬＢＫＰ）、針葉樹未晒クラフトパルプ（ＮＵＫＰ）、広葉樹未晒クラフトパルプ（ＬＵＫＰ）、針葉樹半晒クラフトパルプ（ＮＳＢＫＰ）、広葉樹半晒クラフトパルプ（ＬＳＢＫＰ）等の化学パルプを用いるが、茶古紙やクラフト封筒古紙から製造される古紙パルプを用いてもよい。更に、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、古紙パルプ等の公知の種々のパルプを併用してもよい。中でも、ＮＢＫＰやＮＵＫＰ、ＮＳＢＫＰなど、針葉樹クラフトパルプを主成分として用いることが好ましく、特にＮＵＫＰの使用が好ましい。
【００２２】
袋の縦方向、即ち袋の一端側の封かん部―他端側の充填口の方向の、紙基材の引張強さは、４ｋＮ／ｍ以上が好ましく、５ｋＮ／ｍ以上がより好ましく、６ｋＮ／ｍ以上が更に好ましい。袋の幅方向、即ち袋の一端側の封かん部―他端側の充填口の方向に直交する方向の、紙基材の引張強さは、接着剤による補強効果があるため、２．３ｋＮ／ｍ以上あればよく、２．６ｋＮ／ｍ以上がより好ましく、３．０ｋＮ／ｍ以上が更に好ましい。なお、ここで言う引張り強さはＪＩＳ  Ｐ  ８１１３に規定されている。
【００２３】
袋の大きさは、用途によって様々であり特に限定するものではない。米袋のような重包装紙袋の場合、２０ｋｇ、３０ｋｇといった重量の米などを内包できるものであれば特に限定するものではないが、前記重包装紙袋の長さが７５０ｍｍ以上、胴幅が４００ｍｍ以上であることが好ましい。上限については特に限定するものではないが、取り扱いの点から、袋の長さは１０００ｍｍ以下であり、胴幅が６００ｍｍ以下であることが好ましい。
【００２４】
なお、本考案の二層構造紙袋の表面或いは裏面には、ロゴマーク、写真、図案、内容物、生産者等を適宜印刷した印刷部を有してもよい。また、袋を滑りにくくするために、コロイダルシリカ系無機物やスチレン・アクリル系重合体などの公知の防滑剤による防滑処理を施されていてもよい。
【実施例】
【００２５】
以下に、具体例を挙げて本考案を説明するが、本考案はこれらによって制約を受けるものではない。
【００２６】
「比較例１」
紙基材として市販されているクラフト紙を用意した。内側紙基材と外側紙基材はこのクラフト紙を用い、図２〜図５に示す重包装紙袋（米袋）を製造した。袋の幅は４９０ｍｍ、長さは８００ｍｍとした。用いたクラフト紙の物性は、坪量７５．７ｇ／ｍ２であり、引張り強さは、袋の縦方向が４．８３ｋＮ／ｍ、横方向が２．５７ｋＮ／ｍであった。なお、引張り強さはＪＩＳ  Ｐ  ８１１３に基づいて測定した。
なお、内側紙基材と外側紙基材は、接着剤による接合はしていない。
【００２７】
「実施例１」
内側紙基材と外側紙基材を図９のように、接着剤で接合した重包装紙袋を得た。なお、接着剤としては、カルボキシメチルセルロース（商品名：トキノ９Ｃ、ニチリン化学工業株式会社製）を用い、フレキソ方式で、接着領域は帯状でその幅は１０ｍｍで、付着量は乾燥重量で一袋あたり２ｇ／ｍ２とした。接着領域と隣接する接着領域の間隔は約２００ｍｍであった。
【００２８】
「実施例２」
内側紙基材と外側紙基材を図１０のように、接着剤で接合した重包装紙袋を得た。接着剤の種類、付着量、接着領域の幅は実施例１と同様である。
【００２９】
「実施例３」
内側紙基材と外側紙基材を図１１のように、接着剤で接合した重包装紙袋を得た。接着剤の種類、付着量、接着領域の幅は実施例１と同様である。
【００３０】
「実施例４」
内側紙基材と外側紙基材を図１２のように、接着剤で接合した重包装紙袋を得た。接着剤の種類、付着量、接着領域の幅は実施例１と同様である。
【００３１】
得られた重包装紙袋に米を３０ｋｇ充填し、充填口を縛り、図１の状態にした。
充填した袋を水平状態（袋の裏面１０Ｒを下面）にして、高さ１．２ｍの位置から落下させた。この落下試験はＪＩＳ  Ｚ０２１７に従って行った。その試験結果を表１に示す。
【００３２】
【表１】
0003204671.tif 000003
【００３３】
このように、同じクラフト紙を用いた重包装紙袋であるが、袋の胴部分において、外側紙基材の内側面と内側紙基材の外側面が、接着剤により接合した各実施例は、落下試験による耐久性が向上することがわかる。中でも、幅方向に帯状の接着剤領域により接合したものは、落下に対する耐久性が顕著に優れたものであった。
【符号の説明】
【００３４】
１０  米袋
１０Ｆ  米袋の表面
１０Ｒ  米袋の裏面
１０ａ  米袋の胴部分
１１  封かん部
１２  充填口
１３  外側紙基材
１３Ｆ  外側紙基材の表面
１３Ｒ  外側紙基材の裏面
１３ｇ  外側紙基材の貼合部
１４  内側紙基材
１４Ｆ  内側紙基材の表面
１４Ｒ  内側紙基材の裏面
１４ｇ  内側紙基材の貼合部
１５    接着領域（接着剤領域或いは力伝達手段）  
１５ａ  接着剤領域
１５ｂ  力伝達手段
１６  口紐
１７  折り返し部
【図１】
0003204671.tif 000004
【図２】
0003204671.tif 000005
【図３】
0003204671.tif 000006
【図４】
0003204671.tif 000007
【図５】
0003204671.tif 000008
【図６】
0003204671.tif 000009
【図７】
0003204671.tif 000010
【図８】
0003204671.tif 000011
【図９】
0003204671.tif 000012
【図１０】
0003204671.tif 000013
【図１１】
0003204671.tif 000014
【図１２】
0003204671.tif 000015
【図１３】
0003204671.tif 000016
【図１４】
0003204671.tif 000017
【図１５】
0003204671.tif 000018
【図１６】
0003204671.tif 000019
【図１７】
0003204671.tif 000020